(57)【要約】【課題】ＬＥＤからなる光源が発した光で広範囲を照らすことが可能であるとともに、光源の放熱性能を向上することも可能なＬＥＤ電球を提供する。【解決手段】ＬＥＤ電球１は、金属製の本体２と、口金と、複数のＬＥＤ光源２１と、透光性のグローブ２５と、点灯装置１５を具備する。点灯装置１５を収容する本体２は、外部に露出する周部３を有する。この周部３の一端部に光源装着部６とグローブ接続部５を設ける。周部３の他端部側に口金を配設する。各ＬＥＤ光源２１を光源装着部６に本体２の周方向に所定間隔で配設する。グローブ２５はグローブ端部２５ａを有し、この端部にＬＥＤ光源２１に対向する光入射面２９及び本体接続部３０を設ける。本体接続部３０をグローブ接続部５に接続しグローブ端部２５ａでＬＥＤ光源２１を覆って本体２にグローブ２５を取付けたことを特徴としている。【選択図】図２
2012204088.tif 000002
【特許請求の範囲】
【請求項１】
外部に露出する周部を有し、この周部の一端部に光源装着部及びグローブ接続部が設けられた金属製の本体と；
前記周部の他端部側に配設された口金と；
前記光源装着部に前記本体の周方向に所定間隔で配設された複数のＬＥＤ光源と；
このＬＥＤ光源に対向する光入射面及び本体接続部が形成されたグローブ端部を有し、前記本体接続部を前記グローブ接続部に接続し前記グローブ端部で前記ＬＥＤ光源を覆って前記本体に取付けられた透光性のグローブと；
前記本体に収容された点灯装置と；
を具備することを特徴とするＬＥＤ電球。
【請求項２】
前記グローブの中央部に対向して前記本体に装着された中央ＬＥＤ光源を更に備えることを特徴とする請求項１に記載のＬＥＤ電球。
【請求項３】
前記本体に向けて開放されかつ底面が前記光入射面として用いられる円環形の光入射溝を前記グローブ端部に設けるとともに、この光入射溝を形成して前記本体接続部を円環形に設け、前記光源装着部を円環形に設けるとともに、この光源装着部を形成して前記グローブ接続部を円環形に設け、前記本体接続部と前記グローブ接続部とを嵌合させ接着することにより、前記グローブを前記本体に接続したことを特徴とする請求項１又は２に記載のＬＥＤ電球。
【請求項４】
前記グローブの内側空間に臨む光反射部材を前記グローブに設けたことを特徴とする請求項１から３のうちのいずれか一項に記載のＬＥＤ電球。
【発明の詳細な説明】
【技術分野】
【０００１】
本発明の実施形態は、例えばＬＥＤ光源を備えたＬＥＤ電球に関する。
【背景技術】
【０００２】
放熱フィンを多段に設けた放熱体(本体)と、この放熱体の一端部中央位置のみに取付けられたＬＥＤソース（光源）と、このＬＥＤソースを覆い隠して放熱体の一端部に取付けられたバルブ(グローブ)と、放熱体の他端部に筒状部材を介して取付けられた口金を備えて構成されたＬＥＤ電球が、従来技術として知られている。
【０００３】
ＬＥＤソースが発する光は直進性が強いので、バルブの周部側の明るさは、バルブの中央部の明るさに比べて相対的に低下している。このようなＬＥＤ電球による照明では、ＬＥＤ電球の直下は明るいものの、部屋の隅などはやや暗めになってしまうので、白熱電球と同様に部屋の広い範囲を同じような明るさで照らすには難がある。
【０００４】
更に、ＬＥＤソースとこれを覆ったバルブとの距離が大きいので、ＬＥＤソースが発する熱をバルブに容易に波及させて、このバルブから外部に放出するにも難がある。このため、専ら、ＬＥＤソースの熱を、放熱体へ伝導させて、この放熱体から大気中に放出することで、ＬＥＤソースの過度な温度上昇を抑制しているが、ＬＥＤソースの発光効率や所定の発光色を維持するために、更なる放熱性能の向上が望まれている。
【先行技術文献】
【特許文献】
【０００５】
【特許文献１】特開２００５−１６６５７８号公報
【発明の概要】
【発明が解決しようとする課題】
【０００６】
実施形態は、ＬＥＤ光源が発した光で広範囲を照らすことが可能であるとともに、光源の放熱性能を向上することも可能なＬＥＤ電球を提供することにある。
【課題を解決するための手段】
【０００７】
前記課題を解決するために、実施形態のＬＥＤ電球は、金属製の本体と、口金と、複数のＬＥＤ光源と、透光性のグローブと、点灯装置を具備する。点灯装置を収容する本体は、外部に露出する周部を有する。この周部の一端部に光源装着部とグローブ接続部を設ける。周部の他端部側に口金を配設する。各ＬＥＤ光源を光源装着部に本体の周方向に所定間隔で配設する。グローブはグローブ端部を有し、この端部にＬＥＤ光源に対向する光入射面及び本体接続部を設ける。本体接続部をグローブ接続部に接続しグローブ端部でＬＥＤ光源を覆って本体にグローブを取付けたことを特徴としている。
【図面の簡単な説明】
【０００８】
【図１】実施例１に係るＬＥＤ電球の本体をこれから分離されたグローブとともに示す概略的斜視図である。
【図２】図１のＬＥＤ電球の一部を拡大して示す断面図である。
【図３】実施例２に係るＬＥＤ電球の本体をこれから分離されたグローブとともに示す概略的斜視図である。
【図４】図２のＬＥＤ電球の一部を拡大して示す断面図である。
【図５】実施例２に係るＬＥＤ電球の一部を拡大して示す断面図である。
【発明を実施するための形態】
【０００９】
実施形態１のＬＥＤ電球は、外部に露出する周部を有し、この周部の一端部に光源装着部及びグローブ接続部が設けられた金属製の本体と；前記周部の他端部側に配設された口金と；前記光源装着部に前記本体の周方向に所定間隔で配設された複数のＬＥＤ光源と；このＬＥＤ光源に対向する光入射面及び本体接続部が形成されたグローブ端部を有し、前記本体接続部を前記グローブ接続部に接続し前記ＬＥＤ光源を前記グローブ端部で覆って前記本体に取付けられた透光性のグローブと；前記本体に収容された点灯装置と；を具備することを特徴としている。
【００１０】
この実施形態１で、本体をなす金属には、鉄及びその合金、又はこれらよりも熱伝導性が良い金属例えば銅及びその合金、更に、鉄及びその合金などより軽い軽金属例えばアルミニウム及びその合金等を使用できる。この実施形態１で、本体の周部からの放熱面積を増やすための構成として、周部にローレット加工を施して周部外周面を粗面とすることは可能であり、これに代えて放熱フィンを周部に形成することも可能である。実施形態１で、口金には、Ｅ型の口金を好適に使用できるが、これには制約されない。
【００１１】
実施形態１で、複数のＬＥＤ光源が光源装着部に本体の周方向に所定間隔で配設されるとは、等間隔であっても不等間隔であっても差し支えない。実施形態１で、ＬＥＤ光源とは、ＬＥＤ（発光ダイオード）からなる発光素子を有した光源を指しており、ＬＥＤ光源は、砲弾型ＬＥＤであっても、ＣＯＢ型ＬＥＤであっても、或いはＳＭＤ型ＬＥＤ等であっても差し支えない。
【００１２】
実施形態１で、グローブは、透光性、例えば透明、又は半透明（着色透明を含む）、若しくは乳白色等の光拡散性の合成樹脂材料製であることが好ましく、そのような合成樹脂としてアクリル樹脂等を例示できる。これとともに、実施形態１で、グローブは、例えば略半球状であることが好ましいが、略円錐状でもよく、その他、ＬＥＤ光源が発した光を例えば拡散または集光させるために任意形状とすることも可能である。更に、実施形態１で、グローブの光入射面は、複数のＬＥＤ光源毎に対応して設けてもよく、或いはグローブの周方向に沿って環形に設けても差し支えない。又、実施形態１で、点灯装置は本体に収容されるものであるが、その一部が口金の内側、又はグローブの内側、若しくは口金とグローブの各内側に収容される状態に配置されていてもよい。
【００１３】
実施形態１のＬＥＤ電球で、点灯装置への通電に伴い各ＬＥＤ光源が発した光は、グローブが有した環状のグローブ端部に形成された光入射面からグローブ自体の内部に入射されて、このグローブの中央部に向けて伝播されるに伴い、グローブの周部表面から周囲に放出される。このようにグローブ端部の複数個所に光を入射させて照明をするので、グローブの周囲への配光性能が向上される結果、ＬＥＤ光源が発した光で広範囲を照らすことが可能である。
【００１４】
更に、実施形態１のＬＥＤ電球では、ＬＥＤ光源の光が入射するグローブ端部が、本体の光源装着部に近接しているので、ＬＥＤ光源から発した放射熱がグローブに直接的に波及される。このため、金属製の本体の周部外面から大気中への放熱に加えて、グローブから大気中への放熱を期待でき、それにより、ＬＥＤ光源の放熱性能を向上することが可能である。
【００１５】
実施形態２のＬＥＤ電球は、実施形態１において、前記グローブの中央部に対向して前記本体に装着された中央ＬＥＤ光源を更に備えることを特徴としている。
【００１６】
この実施形態２で、中央ＬＥＤ光源は、本体の周方向に所定間隔で配設された複数のＬＥＤ光源と同様に、砲弾型ＬＥＤであっても、ＣＯＢ型ＬＥＤであっても、或いはＳＭＤ型ＬＥＤ等であっても差し支えない。更に、この中央ＬＥＤ光源は、本体の周方向に所定間隔で配設された複数のＬＥＤ光源の出力と比較して、同出力以下若しくは高出力であってもよい。
【００１７】
実施形態２では、実施形態１において、更に、中央ＬＥＤ光源が発した光がグローブの中央部を透過するので、グローブの周部側の明るさに対して相対的に不足気味となるグローブ中央部の明るさを高めて照明できる。
【００１８】
実施形態３のＬＥＤ電球は、実施形態１又は２において、前記本体に向けて開放されかつ底面が前記光入射面として用いられる円環形の光入射溝を前記グローブ端部に設けるとともに、この光入射溝を形成して前記本体接続部を円環形に設け、前記光源装着部を円環形に設けるとともに、この光源装着部を形成して前記グローブ接続部を円環形に設け、前記本体接続部と前記グローブ接続部とを嵌合させ接着することにより、前記グローブを前記本体に接続したことを特徴としている。
【００１９】
この実施形態３で、光入射溝を形成した本体接続部を、グローブ端部の端面から突出するように設けた構成では、グローブ接続部を本体の周部一端に開放されて本体接続部が嵌入される溝とするとともに、光源装着部を光入射溝に嵌入する凸部で形成すればよい。又、この逆に、実施形態３で、光源装着部を形成したグローブ接続部を、本体の周部一端から突出するように設けた構成では、これらグローブ接続部を光入射溝に嵌入させて本体接続部をグローブ接続部の外側に配設するとともに、グローブ接続部間に形成された円形溝の底面を光源装着部として用いればよい。
【００２０】
実施形態３では、実施形態１又は２において、更に、ＬＥＤ光源から光源装着部に放出された熱が、互に嵌合された本体接続部とグローブ接続部を経由してグローブ端部に伝わり易くなるから、ＬＥＤ光源の放熱性能をより向上することが可能である。加えて、前記嵌合により、光源装着部に配設された複数のＬＥＤ光源と光入射面とを適正に位置合わせしかつ近接させて配設できるとともに、光入射溝、本体接続部、光源装着部、及びグローブ接続部がいずれも円環形であるので、本体にグローブを接着する際、グローブ端部を本体に嵌めるときの方向性がなく、本体にグローブを接続し易い、という利点がある
実施形態４のＬＥＤ電球は、実施形態１から３のうちのいずれかにおいて、前記グローブの内側空間に臨む光反射部材を前記グローブに設けたことを特徴としている。
【００２１】
この実施形態４で、光反射部材は、中央ＬＥＤ光源を備えないＬＥＤ電球では、グローブの裏面全体の少なくとも一部に設けて実施すればよく、中央ＬＥＤ光源を備えないＬＥＤ電球では、グローブの裏面の中央部を除く領域に対して、この領域の少なくとも一部に設けて実施すればよい。更に、実施形態４で、光反射部材は、蒸着等により前記裏面に積層して設けてもよく、或いは接着シート等により接着して設けることが可能である。
【００２２】
実施形態４では、グローブ自体の内部を伝播する光のうちグローブの内側空間に出射しようとする光を、光反射部材でグローブの外側に向けて反射できるので、グローブ全体がより明るくなるに伴い、ＬＥＤ光源が発した光で広範囲をより明るく照らすことが可能である。
【実施例１】
【００２３】
以下、実施例１のＬＥＤ電球について、図１及び図２を参照して詳細に説明する。
【００２４】
図１及び図２中符号１で示すＬＥＤ電球（以下電球と略称する。）は、金属製の本体２と、絶縁部材１１と、口金１３と、点灯装置１５と、複数のＬＥＤ光源（以下光源と略称する。）２１と、透光性のグローブ２５を具備している。
【００２５】
本体２は、金属製例えばアルミニウム合金の一体成形品製で、円筒状の周部３と、この周部３の一端部３ａを閉じるように周部３に一体に形成された端壁４を有している。
【００２６】
放熱面として機能する周部３の外面は外部(大気中)に露出されている。周部３の外径はその一端部３ａから他端部に向かうに従い次第に縮径されている。周部３の縮径された他端は開放されている。本体２はその内側に端壁４を底とする凹部２ａを有していて、この凹部２ａは周部３の他端に開口されている。
【００２７】
端壁４は周部３の一端面３ｂに対して例えば周部３の他端側（図２では上側）にずれて設けられている。図２に示すように周部３の一端部３ａに、一対のグローブ接続部５と光源装着部６が設けられている。一対のグローブ接続部５は、例えば一端面３ｂに開放する大小一対の円環形の溝で形成されている。光源装着部６は、周部３の一端部３ａのうちで、大小一対のグローブ接続部５間に位置された円環形の部位で形成されている。したがって、光源装着部６は、内外一対のグローブ接続部５で仕切られて形成されている。又、グローブ接続部５の底を基準とすれば、光源装着部６は円環形の凸部で形成されている。
【００２８】
図１に示す絶縁部材１１は、耐熱性合成樹脂例えばポリブチレンテレフタレートの成形体であり、両端が開放された筒状をなしている。絶縁部材１１は本体２の周部３に接続されていて、その外面は周部３の外面に連続されている。この絶縁部材１１は周部３から離れるに従って次第に縮径されている。
【００２９】
後述の点灯装置１５に電源を供給する口金１３（図１参照）は、例えば金属製の周面部に螺旋溝を有したＥ型のもので、図示しないランプソケットに着脱可能にねじ込んで取付けられる。この口金１３は、周部３の他端部側に配設されている。具体的には、絶縁部材１１の次第に縮径された端部に口金１３が連結されている。そのため、絶縁部材１１は、口金１３の周面部と金属製の本体２との間に介在して、これら両者間を電気的に絶縁するとともに、熱的にも絶縁している。
【００３０】
点灯装置１５(図２参照)は回路基板に複数の回路部品（図示しない）を取付けて形成されている。点灯装置１５は、本体２の周部３内面に支持されて、本体２の凹部２ａと絶縁部材１１の内側にわたって収容されている。この点灯装置１５は、図示しない絶縁外皮を有した電線を介して口金１３に電気的に接続されている。これとともに点灯装置１５は、絶縁外皮を有しかつ本体２の端壁４を貫通して配線された図示しない他のリード線、及びこの線が接続された後述の配線基板２２を経由して後述の光源２１に電気的に接続されている。
【００３１】
尚、実施例１で端壁４は省略することができ、若しくは点灯装置１５を通すことが可能な通孔を端壁４に設けることもできる。端壁４に通孔を設けた構成では、点灯装置１５の一部を後述するグローブ２５の内側空間に収容することが可能である。
【００３２】
光源装着部６上に配線基板２２がねじ止めや接着止め等により光源装着部６に熱伝導するように固定されている。実施例１で配線基板２２は、各光源２１に共通して用いられていて、環形例えば円環形に形成されている。この配線基板２２上に複数の光源２１が実装されている。これら光源２１は図１に示すように本体２の周方向に沿って所定間隔で、例えば等間隔毎に配設されている。
【００３３】
尚、配線基板２２は、円弧状をなして例えば円環形に配置される複数の配線基板２２であってもよい。これとともに、これら複数の配線基板２２に対する光源２１の実装数は少なくとも１個とすることが可能である。
【００３４】
配線基板２２は、絶縁板の一面に、銅等の金属箔からなるパターン層とともに、このパターン層を覆った絶縁レジスト層を設けるとともに、絶縁板の他面に、銅等の金属箔からなる熱拡散層とこれを覆った絶縁レジスト層を設けて形成されている。この配線基板２２に実装された光源２１は前記パターン層に電気的に接続されている。
【００３５】
配線基板２２は、その熱拡散層を裏側にして、言い換えれば、熱拡散層を光源装着部６に向けてこの光源装着部６に密接して固定されている。これにより、光源２１が発する熱を、絶縁板を介して良熱伝導性の熱拡散層に伝えて、この熱拡散層で広い範囲に拡散させてから絶縁レジスト層を通して光源装着部６に直接的に伝導(放出)させることができる。
【００３６】
発光部をなす光源２１には例えばＳＭＤ型ＬＥＤが用いられている。ＳＭＤ型ＬＥＤは、電極が設けられたベース上に円錐台状の孔を有した反射器を接着し、この反射器の底面をなすベース上に半導体発光素子であるＬＥＤチップを実装するとともに、このＬＥＤチップをワイヤボンディング等で前記電極に接続し、更に、蛍光体が混ぜられた透光性封止部材を反射器の孔に充填しＬＥＤチップを封止して形成されている。このＳＭＤ型ＬＥＤは、そのベースの裏面に引き回されている電極を配線基板２２のパターン層に接続して所定位置に配設されている。
【００３７】
ＬＥＤチップは例えば青色を発光するベアチップからなり、このチップはその発光時に発熱をする。封止部材に混ぜられた蛍光体には、光源２１から白色系の光が発光されるようにするために、ＬＥＤチップが発する青色の光で励起されて黄色系の光を放射する黄色蛍光体が用いられている。光源２１が有したＬＥＤチップは電気エネルギーを直接光に変換する半導体であり、その発光は半導体のｐ−ｎ接合に順方向電流を流すことで実現される。こうした発光原理で発光する半導体発光素子は、通電によりフィラメントを高温に白熱させて、その熱放射により可視光を放射させる白熱電球と比較して、省エネルギー効果を有するものである。
【００３８】
図２に示すようにグローブ２５は、例えば半球状であって、グローブ本体２６と、光拡散部材２７と、光反射部材２８とで形成されている。
【００３９】
グローブ本体２６は、透光性合成樹脂例えば透明なアクリル樹脂により半球状に形成されている。グローブ本体２６の表面及び裏面の夫々は、これらの面からグローブ本体２６の内部を伝播する光が出射可能となるようにレーザ光で加工された面で形成されている。光拡散部材２７は、光を拡散する性能を有した部材であって、例えば乳白色の光拡散シートが用いられている。この光拡散部材２７はグローブ本体２６の表面全体に被着されている。光反射部材２８は光を反射する性能を有した部材であって、例えば白色や銀色の光反射シートが用いられている。この光反射部材２８は、グローブ２５の内側空間２５ｃに臨んでグローブ本体２６の裏面全体に被着されている。尚、光反射部材２８はグローブ本体２６の裏面の一部に設けてもよく、グローブ２５の周部をより明るくするためには、少なくともグローブ本体２６の開口を仕切るグローブ端部２５ａ側の裏面部位に設けることが好ましい。
【００４０】
グローブ端部２５ａは周部３の一端部３ａの形状に見合った形状、例えば円環形である。このグローブ端部２５ａに光入射面２９及び本体接続部３０が形成されている。
【００４１】
詳しくは、グローブ端部２５ａにグローブ２５の周方向に沿って円環形の光入射溝３１が形成されている。この光入射溝３１は本体２に向けて開放されていて、その底面が光入射面２９として用いられている。本体接続部３０は、円環形に設けられていて光入射溝３１を仕切って形成している。これら大小一対の本体接続部３０はグローブ端部２５ａの端面２５ｂより突出されている。
【００４２】
グローブ２５はそのグローブ端部２５ａで各光源２１を覆い隠して本体２に取付けられている。詳しくは、端面２５ｂより突出された円環形の本体接続部３０の先端部を、本体２に形成された円環形の溝からなるグローブ接続部５に嵌合させて、グローブ接続部５又は本体接続部３０に予め適量塗布された接着剤３３により接着されている。こうしたグローブ接続部５と本体接続部３０の接続により、各光源２１は、光入射溝３１に挿入されて光入射面２９に近接し対向されている。
【００４３】
実施例１の電球１の点灯装置１５への通電に伴い各光源２１は発光する。各光源２１が発した光は、グローブ２５が有した環状のグローブ端部２５ａに形成された光入射面２９からグローブ本体２６自体の内部に入射されて、このグローブ本体２６の中央部に向けて伝播される。これに伴い、グローブ本体２６の表面及び裏面から光が出射される。
【００４４】
グローブ本体２６の表側に出射された光は、光拡散部材２７に入射され拡散されながら透過して、グローブ２５の外側に放出される。このようにグローブ２５の周部複数個所に光が入射されるため、このグローブ２５の周部が明るくなり、この周部表面から周囲に光を放出させて照明をすることができる。したがって、グローブ２５の周囲への配光性能が向上されて、各光源２１が発した光で広い範囲を照らすことが可能である。
【００４５】
しかも、グローブ本体２６の内部を伝播する光のうちグローブ本体２６の裏面からグローブ２５の内側空間２５ｃに出射されようとする光は、光反射部材２８でグローブ本体２６の表側に向けて反射されるので、この反射光を光拡散部材２７で拡散させてグローブ２５の外側に放出できる。このため、グローブ２５全体がより明るくなり、それに伴い広い範囲をより明るく照らすことが可能である。
【００４６】
又、電球１の点灯中に各光源２１が発する熱は、配線基板２２を通って本体２の周部３に形成された光源装着部６に放出された後、周部３の表面から大気中に放出される。この場合、光源２１の熱は、光源２１が実装された円環形の配線基板２２が有した熱拡散層により拡散されることにより、広範囲な面積で円環形の光源装着部６に授受されるので、各光源２１から本体２の周部３への熱伝導が良好である。しかも、光源２１の光を受けるグローブ端部２５ａと本体２の光源装着部６は近接していて、光源２１が発した放射熱がグローブ端部２５ａに直接的に波及されるので、グローブ端部２５ａの表面側からも放熱が可能である。
【００４７】
このように金属製の本体２の周部３外面から大気中への放熱に加えて、グローブ２５から大気中への放熱を期待できるので、光源２１の放熱性能を向上することが可能である。したがって、光源２１が有したＬＥＤチップの温度が異常に上昇することが抑制されて、このＬＥＤチップの発光効率及び寿命の低下と発光色が変わることを抑制可能である。
【００４８】
しかも、実施例１の電球１では、互に嵌合され接着されたグローブ端部２５ａの本体接続部３０と本体２のグローブ接続部５を経由して、光源２１から光源装着部６に放出された熱がグローブ端部２５ａに伝わり易い。これにより、光源２１の放熱性能をより向上することが可能である。
【００４９】
又、本体２の周部３の一端部３ａにグローブ２５を接続する場合、既述のように本体２のグローブ接続部５とグローブ端部２５ａの本体接続部３０とが互いに嵌合されるので、光源装着部６に配設された複数の光源２１とグローブ２５の光入射面２９とを適正に位置合わせしかつ近接させて配設できる。これとともに、光入射溝３１、本体接続部３０、光源装着部６、及びグローブ接続部５がいずれも円環形であるので、本体２にグローブ２５を接続する際、グローブ端部２５ａを本体２の周部３の一端部３ａに嵌めるときの方向性がない。このため、本体２にグローブ２５を接続し易い
【実施例２】
【００５０】
図３及び図４は実施例２を示している。実施例２は以下説明する構成が実施例１とは相違しており、それ以外の構成は実施例１と同じであるため、実施例１と同一ないしは同様の機能を奏する構成については、実施例１と同じ符号を付してその説明を省略する。
【００５１】
この実施例２のＬＥＤ電球１では、図４に示すように本体２の端壁４が本体２の周部３とは別体である。端壁４は、周部３の一端部３ａの内側に設けた段部３ｂに複数のねじ３５で固定されていて、周部３の一端部３ａを閉じるように設けられている。尚、端壁４は周部３と一体であっても良い。
【００５２】
この端壁４の中央部に中央配線基板３６が取付けられている。中央配線基板３６は、配線基板２２と同様な構成であり、絶縁板の一面に、銅等の金属箔からなるパターン層とともに、このパターン層を覆った絶縁レジスト層を設けるとともに、絶縁板の他面に、銅等の金属箔からなる熱拡散層とこれを覆った絶縁レジスト層を設けて形成されている。この中央配線基板３６は、その熱拡散層を端壁４に密接させるように固定されている。
【００５３】
中央ＬＥＤ光源３７は、中央配線基板３６上に装着されパターン層に電気的に接続されている。中央ＬＥＤ光源３７は少なくともグローブ２５の中央部裏面に対向している。この中央ＬＥＤ光源３７には例えばＣＯＢ型ＬＥＤが用いられているが、これには限らずＳＭＤ型ＬＥＤを複数用いても差し支えない。ＣＯＢ型ＬＥＤの発光面積はＳＭＤ型ＬＥＤからなる光源２１の発光面積より大きい。
【００５４】
実施例２で、グローブ２５が有した光反射部材は、中央ＬＥＤ光源３７から発した光が、グローブ本体２６内にその裏面を通って入射できるように部分的に設けられている。例えば、実施例２では、いずれも環形をなす第１の光反射部材２８ａ〜第５の光反射部材２８ｅが用いられている。第１の光反射部材２８ａはグローブ本体２６の内周中央部に接着され、第５の光反射部材２８ｅはグローブ端部２５ａの内周面に接着され、かつ、第２の光反射部材２８ｂ〜第４の光反射部材２８ｄは、第１の光反射部材２８ａと第５の光反射部材２８ｅとの間に位置して所定間隔でグローブ本体２６の内周面に接着されている。したがって、中央ＬＥＤ光源３７から発した光は、グローブ２５の中心軸線が延びる方向に隣接された光反射部材間を通ってグローブ本体２６内に入射可能となっている。
【００５５】
実施例２の電球１は、以上説明した事項以外の構成は実施例１と同じである。したがって、この実施例２においても、前記課題が解決されて、複数の光源２１が発した光で広範囲を照らすことが可能であるとともに、光源２１の放熱性能を向上することが可能である。
【００５６】
加えて、電球１の点灯中、中央ＬＥＤ光源３７が発した光がグローブ２５の中央部を透過して、電球１の直下を照明する。このため、中央ＬＥＤ光源３７に対して周囲に配設された複数の光源２１で直接照らされるグローブ２５の周部側の明るさに比べて、相対的に不足気味となるグローブ中央部の明るさを高めて照明できる。
【００５７】
この場合、中央ＬＥＤ光源３７の出力を、本体２の周方向に所定間隔で配設された複数の光源２１の出力以下とすることで、グローブ２５全体の明るさを略均一化することが可能である。又、中央ＬＥＤ光源３７の出力を、本体２の周方向に所定間隔で配設された複数の光源２１の出力より高くすることで、電球１の直下の明るさを十分確保することが可能である。
【００５８】
尚、実施例２において、点灯装置１５に、複数の光源２１の点灯と、中央ＬＥＤ光源３７の点灯とを夫々切換えるスイッチ等の発光選択手段とリモートコントロール用受信器を設けて、この受信器と赤外線通信などをするリモートコントローラーで前記スイッチを開閉する構成とすることも可能である。この場合、全ての光源を発光させて電球１の直下を明るく照らしつつ電球１の周囲を広範囲に照らすことができる第１照明態様と、複数の光源２１のみを発光させて第１照明態様に対して電球１の周囲を広範囲に照らしつつ直下照明の明るさを減じた第２照明態様と、中央ＬＥＤ光源３７のみを発光させて電球1の直下照明をする第３照明態様を、遠隔操作により任意に選択できる。
【００５９】
図５は実施例３を示している。実施例３は以下説明する事項が実施例２とは相違しており、それ以外の構成は実施例２と同じであるため、実施例２と同一ないしは同様の機能を奏する構成については、実施例２と同じ符号を付してその説明を省略する。
【００６０】
実施例３の電球１は、本体２の端壁４に取付けられてグローブ２５の内側空間２５ｃに収められた配光制御部材例えばレンズ４１を備えている。レンズ４１は中央ＬＥＤ光源３７に近接し対向する入射面４１ａを有して、この入射面４１ａから入射された中央ＬＥＤ光源３７からの光を、集光又は拡散させて出射面４１ｂからグローブ２５に向けて出射させるために設けられている。尚、配光制御部材は、レンズ４１に限らないとともに、複数の光源２１と中央ＬＥＤ光源３７とのうちの少なくとも一方に対して配設することが可能である。
【００６１】
以上説明した事項以外は図示されない構成を含めて実施例２と同じである。したがって、この実施例３においても、前記課題が解決されて、電球１の直下を明るく照らしつつ複数の光源２１が発した光で電球１の周囲を広い範囲で照らすことが可能であるとともに、光源２１の放熱性能を向上することが可能である。
【００６２】
しかも、レンズ４１を設けたことにより、その配光制御で中央ＬＥＤ光源３７の光を分散させる場合には、それによって電球１の周囲を広い範囲で照らすための明るさをより高めることが可能である。又、レンズ４１の配光制御で中央ＬＥＤ光源３７の光をグローブ２５の中央部に集中させる場合には、電球１直下の明るさをより高めることが可能である。
【符号の説明】
【００６３】
１…電球（ＬＥＤ電球）、２…本体、３…周部、３ａ…周部の一端部、５…光源装着部、６…グローブ接続部、１３…口金、１５…点灯装置、２１…光源（ＬＥＤ光源）、２５…グローブ、２５ａ…グローブ端部、２５ｃ…グローブの内側空間、２８、２８ａ〜２８ｅ…光反射部材、２９…光入射面、３０…本体接続部、３１…光入射溝、３３…接着剤、３７…中央ＬＥＤ光源
【図１】
2012204088.tif 000003
【図２】
2012204088.tif 000004
【図３】
2012204088.tif 000005
【図４】
2012204088.tif 000006
【図５】
2012204088.tif 000007